(57)【要約】【課題】ノズル部への内容物の付着を抑制しつつ、吐出される内容物を受け取ることが可能な構造のエアゾール容器を提供する。【解決手段】エアゾール容器１００は、容器本体１０の上端部を構成するマウンテンカップ１４に取り付けられているカバー部２０と、使用者による押圧操作を受け付ける操作部３０と、ステム１５に取り付けられていて先端に吐出口５０ａを有するノズル部５０と、を備え、ノズル部５０は、容器本体１０の上端部の径方向における一方向に向けてステム１５から突出しており、ノズル部５０の突出方向を前方とすると、カバー部２０は、ノズル部５０よりも下方に配置されていて容器本体１０の外面よりも前方に突出している一対の突出部２３を有し、一対の突出部２３は、平面視においてノズル部５０を間に挟んで配置されている。【選択図】図１
2018100106.tif 000002
【特許請求の範囲】
【請求項１】
容器本体の上端部を構成するマウンテンカップに取り付けられているカバー部と、
使用者による押圧操作を受け付ける操作部と、
ステムに取り付けられていて先端に吐出口を有するノズル部と、
を備え、
前記ノズル部は、前記容器本体の上端部の径方向における一方向に向けて前記ステムから突出しており、
前記ノズル部の突出方向を前方とすると、前記カバー部は、前記ノズル部よりも下方に配置されていて前記容器本体の外面よりも前方に突出している一対の突出部を有し、
前記一対の突出部は、平面視において前記ノズル部を間に挟んで配置されているエアゾール容器。
【請求項２】
前記一対の突出部の各々は、板状に形成されていて板面が上下を向いている請求項１に記載のエアゾール容器。
【請求項３】
前記操作部は前記カバー部に対して軸支されており、
前記カバー部に対する前記操作部の軸支部は、前記操作部の後端部に配置されており、
前記操作部において使用者に押圧される押圧部は、前記操作部において押圧力を前記ステムに伝達する伝達部よりも前方に配置されている請求項１又は２に記載のエアゾール容器。
【請求項４】
前記容器本体は、円筒状の胴部と、前記胴部の上側に配置されている肩部と、を有し、
前記一対の突出部は、前記胴部よりも前方に突出している請求項１から３のいずれか一項に記載のエアゾール容器。
【請求項５】
前記容器本体は、円筒状の胴部と、前記胴部の上側に配置されている肩部と、を有し、
前記ノズル部は、前記胴部よりも前方に突出している請求項１から４のいずれか一項に記載のエアゾール容器。
【請求項６】
前記カバー部は、前後方向に対して直交する左右方向における両端部の各々に、下方から指掛け可能な指掛け部を有する請求項１から５のいずれか一項に記載のエアゾール容器。
【請求項７】
前記カバー部の後端面は、前記容器本体の後端よりも前方に位置していて後方を向いている請求項１から６のいずれか一項に記載のエアゾール容器。
【請求項８】
エアゾール容器の容器本体の上端部に装着されるアタッチメントであって、
容器本体の上端部を構成するマウンテンカップに取り付けられるカバー部と、
使用者による押圧操作を受け付ける操作部と、
先端に吐出口を有し、ステムに取り付けられるノズル部と、
を備え、
前記ノズル部が前記ステムに取り付けられ、前記カバー部が前記マウンテンカップに取り付けられた状態で、
前記ノズル部は、前記容器本体の上端部の径方向における一方向に向けて前記ステムから突出し、
前記ノズル部の突出方向を前方とすると、前記カバー部は、前記ノズル部よりも下方に配置されて前記容器本体の外面よりも前方に突出する一対の突出部を有し、
前記一対の突出部は、平面視において前記ノズル部を間に挟んで配置されるアタッチメント。
【発明の詳細な説明】
【技術分野】
【０００１】
本発明は、エアゾール容器及びそのアタッチメントに関する。
【背景技術】
【０００２】
特許文献１には、押下操作を受け付ける操作部（同文献の押圧部）の直下にノズル部（同文献の噴出ノズル）が配置されているエアゾール容器が記載されている。同文献には、人差し指若しくは中指をノズル部の下面に係合して配置し、親指で操作部を押下することにより、片手操作で内容物の取り出しを行うことができる旨が記載されている。
【０００３】
特許文献２には、マウンテンカップに装着されたカバー部（同文献のカバー体）を有するエアゾール容器が記載されている。このエアゾール容器のカバー部の側周面には左右一対のプレート状の指掛け部が設けられている。同文献には、手の親指を一方の指掛け部に掛け、他方の指掛け部に中指を掛けて、人差し指で操作ボタンを押下操作する旨が記載されている。
【先行技術文献】
【特許文献】
【０００４】
【特許文献１】特開平８−２８１１６０号公報
【特許文献２】特開２００５−１２６０９０号公報
【発明の概要】
【発明が解決しようとする課題】
【０００５】
しかしながら、特許文献１の技術では、手指（例えば人差し指若しくは中指）をノズル部の下面に当てた状態で内容物を吐出するため、ノズル部に内容物が付着する可能性が高い。
また、特許文献２の技術でも、一方の操作ボタンを押下するとともに、他方の手の平でノズル部の先端から吐出される内容物を受け取ろうとすると、ノズル部に内容物が付着する可能性がある。
【０００６】
本発明は、上記の課題に鑑みてなされたものであり、ノズル部への内容物の付着を抑制しつつ、吐出される内容物を受け取ることが可能な構造のエアゾール容器に関する。
【課題を解決するための手段】
【０００７】
本発明は、容器本体の上端部を構成するマウンテンカップに取り付けられているカバー部と、
使用者による押圧操作を受け付ける操作部と、
ステムに取り付けられていて先端に吐出口を有するノズル部と、
を備え、
前記ノズル部は、前記容器本体の上端部の径方向における一方向に向けて前記ステムから突出しており、
前記ノズル部の突出方向を前方とすると、前記カバー部は、前記容器本体の外面よりも前方に突出している一対の突出部を有し、
前記一対の突出部は、平面視において前記ノズル部を間に挟んで配置されているエアゾール容器を提供する。
【０００８】
また、本発明は、エアゾール容器の容器本体の上端部に装着されるアタッチメントであって、
容器本体の上端部を構成するマウンテンカップに取り付けられるカバー部と、
使用者による押圧操作を受け付ける操作部と、
先端に吐出口を有し、ステムに取り付けられるノズル部と、
を備え、
前記ノズル部が前記ステムに取り付けられ、前記カバー部が前記マウンテンカップに取り付けられた状態で、
前記ノズル部は、前記容器本体の上端部の径方向における一方向に向けて前記ステムから突出し、
前記ノズル部の突出方向を前方とすると、前記カバー部は、前記ノズル部よりも下方に配置されて前記容器本体の外面よりも前方に突出する一対の突出部を有し、
前記一対の突出部は、平面視において前記ノズル部を間に挟んで配置されるアタッチメントを提供する。
【発明の効果】
【０００９】
本発明によれば、ノズル部への内容物の付着を抑制しつつ、吐出される内容物を受け取ることが可能である。
【図面の簡単な説明】
【００１０】
【図１】実施形態に係るエアゾール容器の全体斜視図である。
【図２】実施形態に係るエアゾール容器の平面図である。
【図３】実施形態に係るエアゾール容器の上部の側面図である。
【図４】実施形態に係るエアゾール容器の上部の側断面図である。
【図５】実施形態に係るエアゾール容器の上部の正面断面図であり、図４のＡ−Ａ線に沿った矢視断面図である。
【図６】実施形態に係るエアゾール容器の上部の斜視図であり、係止爪部と係止孔とが係合していない状態を示す。
【図７】実施形態に係るエアゾール容器の使用方法の一例を示す側面図である。
【発明を実施するための形態】
【００１１】
以下、本発明の実施形態について、図面を用いて説明する。なお、すべての図面において、同様の構成要素には同一の符号を付し、重複する説明は適宜に省略する。
【００１２】
以下、図１から図７を用いて実施形態を説明する。
本実施形態において、エアゾール容器１００の各構成要素の位置関係（上下関係等）の説明は、特に断りのない場合は、図７に示すように容器本体１０の円筒状の胴部１１の軸方向を上下方向に配置した状態での位置関係を説明したものである。すなわち、容器本体１０は底部１６を有しており、底部１６を水平な載置面上に載置した際には、エアゾール容器１００は、胴部１１の軸方向が上下方向に延在する姿勢で自立する。そして、下記の説明において、上及び下とは、エアゾール容器１００を水平な載置面上で自立させたときの上下方向を意味する。ただし、エアゾール容器１００を手で持ったときの上下方向は、必ずしも下記の説明における上下とは一致しない。また、図７における左方を前方、右方を後方という。
【００１３】
本実施形態に係るエアゾール容器１００は、容器本体１０の上端部を構成するマウンテンカップ１４に取り付けられているカバー部２０と、使用者による押圧操作を受け付ける操作部３０と、ステム１５に取り付けられていて先端に吐出口５０ａを有するノズル部５０と、を備えている。ノズル部５０は、容器本体１０の上端部の径方向における一方向に向けてステム１５から突出している。ノズル部５０の突出方向を前方とすると、カバー部２０は、ノズル部５０よりも下方に配置されていて容器本体１０の外面よりも前方に突出している一対の突出部２３を有する。一対の突出部２３は、平面視においてノズル部５０を間に挟んで配置されている（図２参照）。すなわち、平面視において、ノズル部５０の左右にそれぞれ突出部２３が配置されている。つまり、カバー部２０は、左右一対の突出部２３を有する。
ここで、径方向とは、円筒状の容器本体１０の軸方向に対して直交する方向である。
また、突出部２３が容器本体１０の外面よりも前方に突出しているとは、少なくとも、容器本体１０の外面において突出部２３の基端が位置する部位１２ａ（図４参照）よりも前方に突出部２３が突出していることである。
本実施形態の場合、図２に示すように、一対の突出部２３は、平面視において、ノズル部５０の第２筒部５２を間に挟んで配置されている。
【００１４】
容器本体１０は、例えば、金属製の缶容器であり、円筒状の胴部１１と、胴部１１の下端を閉塞している底部１６と、胴部１１の上側に連接されていて上方に向けて徐々に縮径している肩部１２と、を備えている。
なお、本実施形態の場合、突出部２３の基端は、例えば、肩部１２の外面（図４の部位１２ａ）に位置している。
【００１５】
容器本体１０は、更に、容器本体１０の天面を構成するマウンテンカップ１４を備えている。すなわち、容器本体１０の上端部は、マウンテンカップ１４を含んで構成されている。
マウンテンカップ１４は、その周縁部において、肩部１２の上端縁に対して巻き締め固定されている。すなわち、マウンテンカップ１４と肩部１２とは、マウンテンカップ１４の周縁に沿った巻締部１３において相互に固定されている。
容器本体１０は、更に、マウンテンカップ１４の中央部においてマウンテンカップ１４を上下に貫通して設けられているステム１５を備えている。ステム１５は容器本体１０の胴部１１と同軸に配置されている。
容器本体１０の内部には、内容物が圧縮状態で充填されている。
ステム１５がマウンテンカップ１４に対して相対的に押し下げられることにより、容器本体１０の内部に充填されている内容物がステム１５を介して吐出されるようになっている。
本実施形態に係るエアゾール容器１００の容器本体１０（マウンテンカップ１４及びステム１５を含む）は一般的なエアゾール容器が備える容器本体と同様の構造であるため、容器本体１０の詳細な説明は省略する。
容器本体１０に充填されている内容物の種類は特に限定されない。内容物としては、染毛剤などの毛髪化粧料、ヘアスタイリング剤、ヘアケア剤、洗顔料、シェービング剤、浴室用などの洗剤、頭髪洗浄剤等が挙げられる。また、内容物は、泡状に吐出されるものとすることができるが、非泡状の液状で吐出されるものであってもよい。
【００１６】
ノズル部５０は、例えば、ステム１５の先端部（上端部）に装着されている第１筒部５１と、第１筒部５１の先端（上端）に連接されていて第１筒部５１に対して略直交している第２筒部５２と、を含んで構成されている。
第１筒部５１は、その軸方向が上下に延在している。
第２筒部５２は、第１筒部５１の先端から前方に向けて延出している。第２筒部５２の先端（前端）には吐出口５０ａが形成されている。
第１筒部５１がステム１５の先端側から外嵌されることによって、ノズル部５０がステム１５に取り付けられている。
このように、ノズル部５０は、ステム１５に装着されている装着部（第１筒部５１）と、装着部から前方に延出している前方延出部（第２筒部５２）と、を有する。
ステム１５から吐出された内容物は、第１筒部５１の内部及び第２筒部５２の内部をこの順に通過して、第２筒部５２の先端の吐出口５０ａから外部に吐出される。
なお、ノズル部５０がステム１５に取り付けられた状態で、第１筒部５１、ひいてはノズル部５０の全体は、ステム１５に対して相対的に、ステム１５の軸周りに回転可能となっている。
【００１７】
ここで、上記のように、容器本体１０は、円筒状の胴部１１と、胴部１１の上側に配置されている肩部１２と、を有している。
そして、図３等に示すように、ノズル部５０は、胴部１１よりも前方に突出している。
【００１８】
図２、図３及び図６に示すように、ノズル部５０は、例えば、第１筒部５１と第２筒部５２との交差部から左右にそれぞれ突出している一対の突起部５３を有している。突起部５３は略円柱形で、且つ、円柱の中心線とステムの中心線とが交差するようになっている。これら突起部５３は、操作部３０からの押圧力を受ける受部として機能する。
ノズル部５０は、操作部３０からの押圧力を受けると、該押圧力をステム１５に伝達し、ステム１５と一体的に押し下げられる。
【００１９】
カバー部２０は、容器本体１０に対して嵌合することにより装着される平面視円環状の環状装着部２１を備えている。環状装着部２１は、下向きに開口している平面視円環状の凹部２１ａを有している。巻締部１３が凹部２１ａ内に嵌入することによって、カバー部２０が容器本体１０に対して装着されている（図４参照）。ただし、カバー部２０、ひいてはカバーユニット４０の全体は、巻締部１３に対して（ひいては容器本体１０）に対して、容器本体１０の胴部１１の軸周りに回転可能となっている。
【００２０】
カバー部２０は、更に、環状装着部２１の下縁から平面視において外方に向けて張り出している張出部２２を備えている。張出部２２は、環状装着部２１の下縁から斜め下方に張り出しており、容器本体１０の肩部１２の一部分を覆っている（図５参照）。張出部２２は、例えば、肩部１２の外面に沿う湾曲形状となっている。張出部２２は、例えば、環状装着部２１の後方を除く環状装着部２１の周囲に向けて張り出している。張出部２２において環状装着部２１の前側の部分よりも、張出部２２において環状装着部２１の左右方向両側の部分の方が、より長い張り出し長さで、より下方に、張り出している。
【００２１】
一対の突出部２３は、例えば、張出部２２における前側の縁からそれぞれ前方に突出している。
一対の突出部２３は、互いに同一の形状に形成されており、左右対称に配置されている。
一対の突出部２３の各々は、板状に形成されていて板面が上下を向いている。すなわち、各突出部２３は略水平に配置されている。各突出部２３は、水平に配置されていてもよいし、わずかに傾斜して配置されていてもよい。
一例として、図３に示すように、各突出部２３は、その基端部（後端部）から中間部に向けて斜め上方に延びており、中間部から先端部（前端部）に向けて斜め下方に延びている。すなわち、各突出部２３の先端部（前端部）は、下向きに反っている。
【００２２】
ここで、上記のように、容器本体１０は、円筒状の胴部１１と、胴部１１の上側に配置されている肩部１２と、を有している。
そして、図３等に示すように、一対の突出部２３は、胴部１１よりも前方に突出している。
【００２３】
なお、カバー部２０において一対の突出部２３の間の部分は、後方に向けて窪んだ形状（切り欠かれた形状）の凹部２４となっている。
また、カバー部２０において凹部２４の後方の部位は、一方の突出部２３の基端部から他方の突出部２３の基端部に亘って設けられたリブ２５となっていて、カバー部２０の構造的強度が向上されている。リブ２５は、張出部２２の前端部から前方に延びている。
【００２４】
カバー部２０は、更に、張出部２２の外周縁から外方に向けて突出している指掛け部２６を有している。指掛け部２６は、例えば、張出部２２において各突出部２３よりも後方の部位の全域から外方に突出している。つまり、指掛け部２６は、張出部２２の左部と右部の各々から外方に突出している。
指掛け部２６は、カバー部２０における指掛け部２６以外の部分の肉厚よりも大きい突出長で、容器本体１０の外面から外方に突出している。
より詳細には、指掛け部２６は、容器本体１０の外面から外方に向けてフランジ状に突出している。
エアゾール容器１００の使用時には使用者が指掛け部２６に対して下方から指を掛けることができるようになっている。
このように、カバー部２０は、前後方向に対して直交する左右方向における両端部の各々に、下方から指掛け可能な指掛け部２６を有する。
【００２５】
図５等に示すように、カバー部２０は、更に、環状装着部２１よりも上方に突出している左右一対の係止突出部２７を有している。係止突出部２７は、柱状のものであり、係止突出部２７の先端部（上端部）には、係止爪部２７ａが形成されている。
係止突出部２７は、例えば、環状装着部２１の内周縁から上方に起立している。各係止爪部２７ａは、例えば、互いの方向に向けて突出している。
【００２６】
カバー部２０の後端部には、例えば、平板状の背面起立壁部２８が形成されている。なお、背面起立壁部２８は、後方に向けて凸または凹（前方に向けて凸）に僅かに湾曲していてもよい。背面起立壁部２８は、板面が略鉛直に起立しており、背面起立壁部２８の背面は後方を向いている。背面起立壁部２８の背面は、カバー部２０の後端面である。なお、ヒンジ部４１の一部分が背面起立壁部２８よりも後方に突出していても良い。
図３に示すように、背面起立壁部２８の背面は、容器本体１０の後端よりも前方に配置されている。
このように、カバー部２０の後端面（背面起立壁部２８の背面）は、容器本体１０の後端よりも前方に位置していて後方を向いている。
前後方向における背面起立壁部２８の位置は、例えば、環状装着部２１の後端位置と同等の位置に設定されている。
背面起立壁部２８は、環状装着部２１よりも上方に起立しており、且つ、環状装着部２１よりも下方に垂下している。
また、背面起立壁部２８の左右幅は、例えば、環状装着部２１の左右幅と同等の幅に設定されている。
【００２７】
操作部３０は、カバー部２０の背面起立壁部２８の上端部に対して、ヒンジ部４１（軸支部）において軸支されている。例えば、背面起立壁部２８の左右両端部にそれぞれヒンジ部４１が配置されており、これら左右一対のヒンジ部４１により操作部３０がカバー部２０に対して軸支されている。
なお、各ヒンジ部４１の軸方向は、左右方向に延在しており、且つ、互いに同軸に配置されている。
【００２８】
本実施形態の場合、カバー部２０と操作部３０とは一体成形されている。すなわち、エアゾール容器１００は、カバー部２０と操作部３０とを含む１個の合成樹脂成形部材であるカバーユニット４０を備えている。
そして、ヒンジ部４１は、カバーユニット４０が部分的に薄肉に成形されることにより構成された薄肉ヒンジである。
ただし、本発明は、この例に限らず、カバー部２０と操作部３０とは互いに別体に成形されていて、蝶番により構成されたヒンジ部４１を介して操作部３０がカバー部２０に対して軸支されていてもよい。
なお、図６に示すように、カバーユニット４０において、カバー部２０と操作部３０との境界部位には、開口４２が形成されており、この開口４２によって左右一対のヒンジ部４１が相互に分断されている。
【００２９】
操作部３０は、下向きに開口している椀型、皿形ないしはドーム形状の操作部本体３１を有している。
操作部本体３１の上面には、凹部３３が形成されている。凹部３３は、例えば、操作部本体３１の前端部に位置する第１部分３３ａと、第１部分３３ａの後端から操作部本体３１の後端に亘って配置されている第２部分３３ｂと、を含んで構成されている。
このうち第１部分３３ａは、使用者に押圧される押圧部である。第１部分３３ａは、例えば、第２部分３３ｂよりも深く窪んでいる。
【００３０】
操作部３０は、操作部本体３１の左右両側縁部からそれぞれ斜め下方に延びているスカート部３２を有している。スカート部３２の下縁は、図３に示すように環状装着部２１の上端よりも下方に位置しており、且つ、図２に示すように平面視において環状装着部２１よりも側方に張り出している。
このように、操作部３０は、ノズル部５０の上方を覆っており、且つ、操作部３０において前後方向に対して直交する左右方向における両端部の各々（各スカート部３２）は、カバー部２０において容器本体１０に装着される部位である装着部（環状装着部２１）の上端よりも下方に延びていて、且つ平面視において装着部よりも外方に張り出している。
【００３１】
図５及び図６等に示すように、操作部３０は、操作部本体３１の内面（下面）から下方に垂下している左右一対の板状のリブ３４を有している。各リブ３４の板面は左右を向いている。
リブ３４の前部には、カバー部２０の係止突出部２７の係止爪部２７ａが係止される係止孔３５が形成されている。
図５に示すように、各リブ３４の各係止孔３５に対して、各係止突出部２７の係止爪部２７ａが係止されている。これにより、操作部３０が図６のように開いてしまうことが規制されている。
ここで、一対のリブ３４どうしの対向間隔は、例えば、左右方向における第２筒部５２の寸法（幅寸法）よりも若干広い程度に設定されている（図５参照）。このため、ノズル部５０の第２筒部５２が一対のリブ３４によって位置決めされ、ステム１５の軸周りにおいて、カバー部２０ひいてはカバーユニット４０の全体に対するノズル部５０の回転角度が一定に維持されるようになっている。
【００３２】
なお、上記のように、ノズル部５０は、ステム１５に対して相対的に、ステム１５の軸周りに回転可能となっているとともに、カバーユニット４０は容器本体１０に対して、容器本体１０の胴部１１の軸周りに回転可能となっている。また、ステム１５と容器本体１０の胴部１１とは互いに同軸に配置されている。このため、カバーユニット４０を容器本体１０に対して回転させることにより、カバーユニット４０に伴わせてノズル部５０を回転させることができ、これにより、容器本体１０に対するノズル部５０の向きを自由に変更できるようになっている。
【００３３】
図３等に示すように、また、リブ３４の後部には、ノズル部５０の突起部５３に対して係合する切欠形状部３６が形成されている。
上記のように各リブ３４の各係止孔３５に対して各係止突出部２７の係止爪部２７ａが係止された状態で、図３に示すように、各リブ３４の切欠形状部３６がノズル部５０の各突起部５３に対して係合している。
これら切欠形状部３６は、操作部３０が使用者により押圧（押下）された際に、操作部３０からノズル部５０の突起部５３に押圧力（押下力）を伝達する伝達部である。この伝達部は、操作部３０から、ノズル部５０を介して、ステム１５に押圧力（押下力）を伝達する。
使用者が操作部３０を押下することにより、ノズル部５０を介してステム１５が押下されるため、ステム１５から内容物が吐出され、この内容物はノズル部５０の吐出口５０ａから吐出される。
なお、操作部３０が押下される際、各係止突出部２７の係止爪部２７ａは、各リブ３４の係止孔３５内でリブ３４に対して相対的に上方に移動する。
【００３４】
上記のように、操作部３０はカバー部２０に対して軸支されている。そして、図３等に示すように、カバー部２０に対する操作部３０の軸支部（ヒンジ部４１）は、操作部３０の後端部に配置されている。
また、操作部３０において使用者に押圧される押圧部（上述した凹部３３の第１部分３３ａ）は、操作部３０において押圧力をステム１５に伝達する伝達部（切欠形状部３６）よりも前方に配置されている。
これにより、使用者が操作部３０の第１部分３３ａを押下することによって、テコの原理によりステム１５を軽い力で押し下げることができる。本実施形態の場合、前後方向において、切欠形状部３６及び突起部５３が、第１部分３３ａとヒンジ部４１とのほぼ中間位置に配置されており、直にステム１５を押下する場合と比べて、およそ半分程度の力で第１部分３３ａを押下することによって、ステム１５を押し下げることができるようになっている。
【００３５】
より詳細には、例えば、操作部３０の押圧部（第１部分３３ａ）は、ノズル部５０の第２筒部５２の上方に配置されている。
【００３６】
エアゾール容器１００は、以上のように構成されている。
ここで、エアゾール容器１００の各構成から容器本体１０（及びその内容物）を除いたものが、本実施形態に係るアタッチメント２００である。
すなわち、本実施形態に係るアタッチメント２００は、エアゾール容器の容器本体１０の上端部に装着されるアタッチメントである。アタッチメント２００は、容器本体１０の上端部を構成するマウンテンカップ１４に取り付けられるカバー部２０と、使用者による押圧操作を受け付ける操作部３０と、先端に吐出口５０ａを有しステム１５に取り付けられるノズル部５０と、を備えている。ノズル部５０がステム１５に取り付けられ、カバー部２０がマウンテンカップ１４に取り付けられた状態で、ノズル部５０は、容器本体１０の上端部の径方向における一方向に向けてステム１５から突出する。ノズル部５０の突出方向を前方とすると、カバー部２０は、容器本体１０の外面よりも前方に突出する一対の突出部２３を有する。一対の突出部２３は、平面視においてノズル部５０を間に挟んで配置される。
アタッチメント２００は、例えば、上述のカバーユニット４０とノズル部５０とにより構成されている。
【００３７】
次に、動作を説明する。
【００３８】
一例として、図７に示すように、一方の手６０で容器本体１０を掴むとともに第２部分３３ｂを押し下げ、他方の手６５で吐出口５０ａから吐出される内容物を受け取ることができる。
【００３９】
このとき、例えば、一方の手６０の親指６１が指掛け部２６に沿って指掛け部２６の下側に配置され、指掛け部２６によって当該親指６１の上動が規制されるので、一方の手６０の人差し指６２によって好適に凹部３３の第１部分３３ａを押し下げることができる。なお、図７では容器本体１０の奥に隠れて見えないが、中指も親指６１と同様に指掛け部２６によって上動が規制されている。
また、人差し指６２を第１部分３３ａの後方に連なる第２部分３３ｂに配置することができるため、人差し指６２と操作部３０との干渉を抑制することができる。特に、図１、図２、図４等に示すように、第２部分３３ｂは、操作部３０の後端まで達しており、第２部分３３ｂの後端が後方に向けて開放しているため、人差し指６２の付け根部分と操作部３０との干渉が好適に抑制される。
更に、カバー部２０の後端面（背面起立壁部２８の背面）は、容器本体１０の後端よりも前方に位置していて後方を向いているため、手６０の手の平から人差し指６２にかけての部位とカバー部２０との良好なフィット性を得ることができ、且つ、手６０の手の平から人差し指６２にかけての部位とカバー部２０との干渉が好適に抑制される。
【００４０】
また、図７に示すように、内容物を受け取る他方の手６５は、突出部２３の下方において容器本体１０の側面に押し当てた状態とすることにより、突出部２３によって手６５の上動が規制される。これにより、手６５がノズル部５０と接触することが抑制されるため、手６５の上に吐出される内容物がノズル部５０に付着することが抑制される。よって、ノズル部５０を常に清浄に維持することができる。
また、一対の突出部２３は、平面視においてノズル部５０を間に挟んで配置されているので、ノズル部５０から吐出された内容物が一対の突出部２３を通して流下しうるようにできる。よって、ノズル部５０から吐出された内容物が一対の突出部２３に付着してしまうことも抑制できる。
なお、手６５において内容物を受け取る部位は、指先でも良いし、手の平において親指とは反対側の縁部であってもよい。
【００４１】
ここで、一対の突出部２３の各々は、板状に形成されていて板面が上下を向いているので、より安定的に、これら突出部２３によって手６５の上動を規制することができる。
また、一対の突出部２３は、胴部１１よりも前方に突出している。すなわち、これら突出部２３の前方への突出量が十分であるため、より確実に、これら突出部２３によって手６５の上動を規制することができる。
また、ノズル部５０は、胴部１１よりも前方に突出しているため、ノズル部５０から吐出された内容物を手６５で受け損なったとしても、内容物が容器本体１０の胴部１１及び肩部１２に付着してしまうことが抑制される。
【００４２】
なお、エアゾール容器１００の操作方法は、図７に示す例に限らず、例えば、一方の手の親指以外の指の先端部を突出部２３の下面に引っ掛け、一方の手の親指で第１部分３３ａを押し下げる方法であってもよい。この場合、片手操作により、内容物を親指以外の指で受け取ることができる。
【００４３】
このようなエアゾール容器１００は、例えば、浴室の中で洗髪した後で用いることが想定される。この場合、滑りやすい濡れた手でエアゾール容器１００を操作することになるが、エアゾール容器１００は上述した構成であるため、突出部２３により安定的に手の上動を規制できるとともに、指掛け部２６によっても指の上動を規制できる。よって、エアゾール容器１００の操作性が良好となる。
特に、内容物が染毛剤の場合、手袋をはめた手でエアゾール容器１００を操作することも想定され、より一層手が滑りやすくなるが、そのような場合でも、エアゾール容器１００の良好な操作性が得られる。
また、洗髪後に目を閉じた状態でエアゾール容器１００を用いることも想定されるが、エアゾール容器１００は容器本体１０の外面から突出した一対の突出部２３や指掛け部２６を備えているため、目を閉じた状態であっても良好に操作しうる。
【００４４】
また、操作部３０の押圧部（第１部分３３ａ）は、ノズル部５０の第２筒部５２の上方に配置されているため、ノズル部５０から内容物が吐出される位置と操作部３０を押圧する位置とが近くには位置された構造となっている。よって、ノズル部５０から内容物が吐出される位置を予想しやすく、より確実に、ノズル部５０から吐出される内容物を受け取ることが可能となる。特に、洗髪後に目を閉じた状態でも、より確実に、内容物を受け取ることが可能となる。
【００４５】
なお、操作部３０は、ノズル部５０の上方を覆っており、且つ、カバー部２０において前後方向に対して直交する左右方向における両端部の各々（各スカート部３２）は、カバー部２０において容器本体１０に装着される部位である環状装着部２１の上端よりも下方に延びていて、且つ平面視において環状装着部２１よりも外方に張り出している。これにより、マウンテンカップ１４の上面に水などが浸入することをスカート部３２によってガードすることができる。
【００４６】
以上のような実施形態によれば、カバー部２０は、ノズル部５０よりも下方に配置されていて容器本体１０の外面よりも前方に突出している一対の突出部２３を有し、一対の突出部２３は、平面視においてノズル部５０を間に挟んで配置されている。よって、一対の突出部２３によって、内容物を受け取る手の上動を規制することができるため、手がノズル部５０に接触することが抑制される。よって、ノズル部５０に内容物が付着することを抑制できる。しかも、ノズル部５０から吐出された内容物が一対の突出部２３の間を流下しうるため、ノズル部５０から吐出された内容物を一対の突出部２３に付着させることなく手で受け取ることが可能となる。
【００４７】
本発明は上述の実施形態に限定されるものではなく、本発明の目的が達成される限りにおける種々の変形、改良等の態様も含む。
【００４８】
例えば、上記においては、吐出口５０ａがノズル部５０の先端において前方に向けて開口している例を説明したが、吐出口５０ａはノズル部５０の先端において下方に向けて開口していても良い。
【００４９】
また、上記においては、カバーユニット４０が容器本体１０に対して回転可能である例を説明したが、カバーユニット４０は容器本体１０に対して回転不能に固定されていても良い。
【００５０】
上記実施形態は、以下の技術思想を包含する。
＜１＞容器本体の上端部を構成するマウンテンカップに取り付けられているカバー部と、
使用者による押圧操作を受け付ける操作部と、
ステムに取り付けられていて先端に吐出口を有するノズル部と、
を備え、
前記ノズル部は、前記容器本体の上端部の径方向における一方向に向けて前記ステムから突出しており、
前記ノズル部の突出方向を前方とすると、前記カバー部は、前記ノズル部よりも下方に配置されていて前記容器本体の外面よりも前方に突出している一対の突出部を有し、
前記一対の突出部は、平面視において前記ノズル部を間に挟んで配置されているエアゾール容器。
＜２＞前記一対の突出部の各々は、板状に形成されていて板面が上下を向いている＜１＞に記載のエアゾール容器。
＜３＞前記カバー部に対する前記操作部の軸支部は、前記操作部の後端部に配置されており、
前記操作部において使用者に押圧される押圧部は、前記操作部において押圧力を前記ステムに伝達する伝達部よりも前方に配置されている＜１＞又は＜２＞に記載のエアゾール容器。
＜４＞前記容器本体は、円筒状の胴部と、前記胴部の上側に配置されている肩部と、を有し、
前記一対の突出部は、前記胴部よりも前方に突出している＜１＞から＜３＞のいずれか一項に記載のエアゾール容器。
＜５＞前記容器本体は、円筒状の胴部と、前記胴部の上側に配置されている肩部と、を有し、
前記ノズル部は、前記胴部よりも前方に突出している＜１＞から＜４＞のいずれか一項に記載のエアゾール容器。
＜６＞前記カバー部は、前後方向に対して直交する左右方向における両端部の各々に、下方から指掛け可能な指掛け部を有する＜１＞から＜５＞のいずれか一項に記載のエアゾール容器。
＜７＞前記カバー部の後端面は、前記容器本体の後端よりも前方に位置していて後方を向いている＜１＞から＜６＞のいずれか一項に記載のエアゾール容器。
＜８＞エアゾール容器の容器本体の上端部に装着されるアタッチメントであって、
容器本体の上端部を構成するマウンテンカップに取り付けられるカバー部と、
使用者による押圧操作を受け付ける操作部と、
先端に吐出口を有し、ステムに取り付けられるノズル部と、
を備え、
前記ノズル部が前記ステムに取り付けられ、前記カバー部が前記マウンテンカップに取り付けられた状態で、
前記ノズル部は、前記容器本体の上端部の径方向における一方向に向けて前記ステムから突出し、
前記ノズル部の突出方向を前方とすると、前記カバー部は、前記ノズル部よりも下方に配置されて前記容器本体の外面よりも前方に突出する一対の突出部を有し、
前記一対の突出部は、平面視において前記ノズル部を間に挟んで配置されるアタッチメント。
【符号の説明】
【００５１】
１０  容器本体
１１  胴部
１２  肩部
１２ａ  部位
１３  巻締部
１４  マウンテンカップ
１５  ステム
１６  底部
２０  カバー部
２１  環状装着部
２１ａ  凹部
２２  張出部
２３  突出部
２４  凹部
２５  リブ
２６  指掛け部
２７  係止突出部
２７ａ  係止爪部
２８  背面起立壁部
３０  操作部
３１  操作部本体
３２  スカート部
３３  凹部
３３ａ  第１部分（押圧部）
３３ｂ  第２部分
３４  リブ
３５  係止孔
３６  切欠形状部（伝達部）
４０  カバーユニット
４１  ヒンジ部（軸支部）
４２  開口
５０  ノズル部
５０ａ  吐出口
５１  第１筒部
５２  第２筒部
５３  突起部
６０  手
６１  親指
６２  人差し指
６５  手
１００  エアゾール容器
２００  アタッチメント
【図１】
2018100106.tif 000003
【図２】
2018100106.tif 000004
【図３】
2018100106.tif 000005
【図４】
2018100106.tif 000006
【図５】
2018100106.tif 000007
【図６】
2018100106.tif 000008
【図７】
2018100106.tif 000009